(57)【要約】【課題】光ピックアップ内の多分割型フォトディテクで検出したＲＦ信号に対してイコライザ調整をより一層効率良く短時間で行う。【解決手段】制御部１１は、ジッタ値計測器８５で計測した３点のブースト量ｂｔ１，ｂｔ２，ｂｔ３に対する３点のジッタ値ｊｔ１，ｊｔ２，ｊｔ３のうちで２点目のジッタ値ｊｔ２が最小でなかった場合は、３点のブースト量の漸減又は漸増の範囲をずらして波形等化器８１Ａに再度設定し、２点目のジッタ値が最小になるまで３点のブースト量の変化と３点のジッタ値の検出とを繰り返した後に、３点のブースト量に対する３点のジッタ値を二次曲線で近似し、この二次曲線のジッタ値が最小となる最適なブースト量ｂｔ−ｂｅｓｔを求めて、最適なブースト量を波形等化器８１Ａに設定することを特徴とする光ディスク装置１０Ａを提供する。【選択図】図１
2009157976.tif 000002
【特許請求の範囲】
【請求項１】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のブースト量を予め記憶したメモリと、前記３点のブースト量に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のブースト量に対する３点のジッタ値のうちで２点目のジッタ値が最小でなかった場合は、前記３点のブースト量の漸減又は漸増の範囲をずらして前記波形等化器に再度設定し、２点目のジッタ値が最小になるまで前記３点のブースト量の変化と前記３点のジッタ値の検出とを繰り返した後に、前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置。
【請求項２】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のブースト量の設定範囲内に最適なブースト量が含まれるように適切な前記３点のブースト量を予め記憶したメモリと、前記３点のブースト量に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置。
【請求項３】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のカットオフ周波数を予め記憶したメモリと、前記３点のカットオフ周波数に対する各ジッタ値を比較判断する演算部及び判断部とを有する制御部と、
固定値のブースト量が設定された波形等化器と、前記メモリから出力された前記３点のカットオフ周波数がイコライザ調整時にのみ入力されるローパスフィルタとを有するイコライザ回路と、
前記イコライザ回路からの出力に対して前記３点のカットオフ周波数ごとに各ジッタ値を計測するジッタ値計測器と、を備え、
前記制御部は、前記ジッタ値計測器で計測した前記３点のカットオフ周波数に対する３点のジッタ値のうちで２点目のジッタ値が最小でなかった場合は、前記３点のカットオフ周波数の漸減又は漸増の範囲をずらして前記ローパスフィルタに再度設定し、２点目のジッタ値が最小になるまで前記３点のカットオフ周波数の変化と前記３点のジッタ値の検出とを繰り返した後に、前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置。
【請求項４】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のカットオフ周波数の設定範囲内に最適なカットオフ周波数が含まれるように適切な前記３点のカットオフ周波数を予め記憶したメモリと、前記３点のカットオフ周波数に対する各ジッタ値を比較判断する演算部及び判断部とを有する制御部と、
固定値のブースト量が設定された波形等化器と、前記メモリから出力された前記３点のカットオフ周波数がイコライザ調整時にのみ入力されるローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置。
【請求項５】
複数種の光ディスクの各信号面に記録された情報信号を光ピックアップにより選択的に再生した時に、各光ディスクからの戻り光を前記光ピックアップ内の多分割型フォトディテクで受光して得た各ＲＦ信号に対してジッタ値が最小となるようにイコライザ調整を行なう光ディスク装置において、
前記複数種の光ディスクの種類を判別する光ディスク種類判別手段と、
大きさ順に値が異なる３点のブースト量及び大きさ順に値が異なる３点のカットオフ周波数を予め記憶したメモリと、前記３点のブースト量及び前記３点のカットオフ周波数に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有する第１のイコライザ回路と、
固定値のブースト量が設定された波形等化器と、前記メモリから出力された前記３点のカットオフ周波数がイコライザ調整時にのみ入力されるローパスフィルタとを有する第２のイコライザ回路と、
前記第１のイコライザ回路からの出力に対して前記３点のブースト量ごとに各ジッタ値を計測すると共に、前記第２のイコライザ回路からの出力に対して前記３点のカットオフ周波数ごとに各ジッタ値を計測するジッタ値計測器とを備え、
前記第１のイコライザ回路と、前記第２のイコライザ回路とを前記光ディスク種類判別手段からの判別結果に応じて選択的に切り換える切り換え手段と、
を備えたことを特徴とする光ディスク装置。
【請求項６】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のブースト量を予め記憶したメモリと、前記３点のブースト量に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のブースト量に対する３点のジッタ値のうちで２点目のジッタ値が最小でなかった場合は、前記３点のブースト量の漸減又は漸増の範囲をずらして前記波形等化器に再度設定し、２点目のジッタ値が最小になるまで前記３点のブースト量の変化と前記３点のジッタ値の検出とを繰り返した後に、前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置のイコライザ調整方法。
【請求項７】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のブースト量の設定範囲内に最適なブースト量が含まれるように適切な前記３点のブースト量を予め記憶したメモリと、前記３点のブースト量に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置のイコライザ調整方法。
【請求項８】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のカットオフ周波数を予め記憶したメモリと、前記３点のカットオフ周波数に対する各ジッタ値を比較判断する演算部及び判断部とを有して前記イコライザ調整を制御する制御ステップと、
固定値のブースト量が設定された波形等化器と、前記メモリから出力された前記３点のカットオフ周波数がイコライザ調整時にのみ入力されるローパスフィルタとを有して前記イコライザ調整を行なうイコライザ調整ステップと、
前記イコライザ調整ステップからの出力に対して前記３点のカットオフ周波数ごとに各ジッタ値を計測するジッタ値計測ステップと、を含み、
前記制御ステップは、前記ジッタ値計測ステップで計測した前記３点のカットオフ周波数に対する３点のジッタ値のうちで２点目のジッタ値が最小でなかった場合は、前記３点のカットオフ周波数の漸減又は漸増の範囲をずらして前記ローパスフィルタに再度設定し、２点目のジッタ値が最小になるまで前記３点のカットオフ周波数の変化と前記３点のジッタ値の検出とを繰り返した後に、前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置のイコライザ調整方法。
【請求項９】
光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のカットオフ周波数の設定範囲内に最適なカットオフ周波数が含まれるように適切な前記３点のカットオフ周波数を予め記憶したメモリと、前記３点のカットオフ周波数に対する各ジッタ値を比較判断する演算部及び判断部とを有して前記イコライザ調整を制御する制御ステップと、
固定値のブースト量が設定された波形等化器と、前記メモリから出力された前記３点のカットオフ周波数がイコライザ調整時にのみ入力されるローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置のイコライザ調整方法。
【請求項１０】
複数種の光ディスクの各信号面に記録された情報信号を光ピックアップにより選択的に再生した時に、各光ディスクからの戻り光を前記光ピックアップ内の多分割型フォトディテクで受光して得た各ＲＦ信号に対してジッタ値が最小となるようにイコライザ調整を行なう光ディスク装置のイコライザ調整方法において、
前記複数種の光ディスクの種類を判別する光ディスク種類判別ステップと、
大きさ順に値が異なる３点のブースト量及び大きさ順に値が異なる３点のカットオフ周波数を予め記憶したメモリと、前記３点のブースト量及び前記３点のカットオフ周波数に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なう第１のイコライザ調整ステップと、
固定値のブースト量が設定された波形等化器と、前記メモリから出力された前記３点のカットオフ周波数がイコライザ調整時にのみ入力されるローパスフィルタとを有して前記イコライザ調整を行なう第２のイコライザ調整ステップと、
前記第１のイコライザ調整ステップからの出力に対して前記３点のブースト量ごとに各ジッタ値を計測すると共に、前記第２のイコライザ調整ステップからの出力に対して前記３点のカットオフ周波数ごとに各ジッタ値を計測するジッタ値計測ステップと、
前記第１のイコライザ調整ステップと、前記第２のイコライザ調整ステップとを前記光ディスク種類判別ステップからの判別結果に応じて選択的に切り換える切り換えステップと、
を含むことを特徴とする光ディスク装置のイコライザ調整方法。
【発明の詳細な説明】
【技術分野】
【０００１】
本発明は、光ディスクの信号面に記録された情報信号を光ピックアップにより再生した時に、光ディスクからの戻り光を光ピックアップ内の多分割型フォトディテクで受光して得たＲＦ信号に対してジッタ値が最小となるようにイコライザ調整を行なうにあたって、イコライザ調整をより一層効率良く短時間で行うことができる光ディスク装置及び光ディスク装置のイコライザ調整方法に関するものである。
【背景技術】
【０００２】
一般的に、ＣＤ（Ｃｏｍｐａｃｔ  Ｄｉｓｃ）や、ＣＤよりも高密度化を図ったＤＶＤ（Ｄｉｇｉｔａｌ  Ｖｅｒｓａｔｉｌｅ  Ｄｉｓｃ）とか、ＤＶＤよりも更に超高密度化を図ったＢＤ（Ｂｌｕ−ｒａｙ  Ｄｉｓｃ）などの円盤状の光ディスクは、音楽データや映像データとかコンピュータデータなどの情報信号を光ディスク基板の信号面上に螺旋状又は同心円状に形成したトラックに記録し、且つ、記録済みのトラックを再生する際に所望のトラックを高速にアクセスできることから多用されている。
【０００３】
この際、光ディスクは、再生専用タイプと記録再生タイプとに大別できる。
【０００４】
ここで、再生専用タイプの光ディスクは、樹脂材を用いて射出成形により円盤状のディスク基板の信号面上に凹凸状のピット列でトラックを螺旋状又は同心円状に形成して、この凹凸状のピット列上にアルミなどの反射膜を膜付けして信号面を形成している。
【０００５】
そして、再生専用タイプの光ディスクは、光ディスク装置内で光ディスクの径方向に移動自在に設けた光ピックアップから対物レンズを介して出射された再生用のレーザービームスポットを信号面に照射して、信号面から反射された戻りの反射光を多分割型フォトディテクタで受光することで、データを再生している。
【０００６】
一方、記録再生タイプの光ディスクは、樹脂材を用いて射出成形により円盤状のディスク基板の信号面上に凹凸状のグルーブとランドとでトラックを交互に螺旋状又は同心円状に予め形成し、これらのグルーブとランド上に記録層，反射層を順に膜付けして信号面を形成している。
【０００７】
そして、記録再生タイプの光ディスクは、光ディスク装置内で光ディスクの径方向に移動自在に設けた光ピックアップから対物レンズを介して出射された記録用のレーザービームスポットで信号面の記録層に情報信号を記録し、この後、記録済みの信号面を記録用のレーザービームスポットよりレーザーパワーが小さい再生用のレーザービームスポットで再生している。
【０００８】
ここで、上記した各種の光ディスクの信号面に記録された情報信号を光ディスク装置内に設けた光ピックアップにより再生した時に、光ディスクからの戻り光を光ピックアップ内の多分割型フォトディテクで受光して得られたＴＥ信号（トラッキングエラー信号），ＦＥ（フォーカスエラー信号），ＲＦ（Ｒａｄｉｏ  Ｆｒｅｑｕｅｎｃｙ）信号のうちでＲＦ信号の信号波形の劣化を補償するために、ＲＦ信号に対してイコライザ調整を行うことは周知のことである。
【０００９】
一般的に、上記したＲＦ信号には種々の周波数成分が含まれており、高い周波数ほどレベルが低く、低いレベルのままであるとＲＦ信号のジッタが悪化する。また、ＲＦ信号に含まれた必要な周波数成分以外の周波数がある場合にもジッタの悪化につながる。
【００１０】
そこで、ＲＦ信号中でレベルの低い周波数成分をブーストしたり、ＲＦ信号中である周波数以上又は以下の成分をカットして、ジッタが少なくなるようにＲＦ信号の周波数特性を調整することを「イコライザ調整」と呼称している。
【００１１】
上記したイコライザ調整は、ＲＦ信号に対するブースト量の調整と、ＲＦ信号に対するカットオフ周波数の調整の双方を組み合わせることによって行われている。
【００１２】
即ち、ＲＦ信号に対するブースト量の調整とは、ＲＦ信号中である周波数を中心としてＲＦ信号をブーストしてゲインを上げる量を決定することである。
【００１３】
一方、ＲＦ信号に対するカットオフ周波数の調整とは、ＲＦ信号中である周波数以上又は以下もしくはある周波数幅の成分を、基準レベルより３ｄＢ低減させるポイントとなる周波数を決定することである。
【００１４】
この際、光ディスク装置内でＲＦ信号に対してイコライザ調整を行う場合に、ＲＦ信号に対するブースト量の調整と、ＲＦ信号に対するカットオフ周波数の調整とによる双方を組み合わせて行うものがある（例えば、特許文献１及び特許文献２参照）。
【００１５】
まず、下記した特許文献１（特開２００１−２３１６７号公報）に開示された光ディスク装置及び再生方法では、ここでの図示を省略して、特許文献１を参照して簡略に説明すると、ＣＰＵにおいて、遮断周波数をαに設定して３点のブースト量におけるジッタ量を検出し、ジッタ量をブースト量の二次関数ｆで近似し、その最小点Ｄにおけるブースト量を計算する。この後、遮断周波数をα＋βに設定して３点のブースト量におけるジッタ量を検出し、ジッタ量をブースト量の二次曲線ｆ２で近似し、その最小の点Ｈにおけるブースト量を計算する。そして、ブースト量を遮断周波数の関数として点Ｄ，点Ｈを通る直線ｇで近似し、直線ｇ上の点Ｉを計算する。更に、ローパスフィルタの遮断周波数及び等化器のブースト量を変化させ点Ｄ，点Ｈ，点Ｉにおけるジッタ量を検出してジッタ量を遮断周波数の二次関数ｈで近似し、その最小の点Ｊにおける遮断周波数及びブースト量を計算することで、９点におけるジッタ量の測定で、ローパスフィルタの遮断周波数及び等化器のブースト量を精度よく最適化することが可能であり、少ないジッタ量の測定で再生波形の適応等化を行うことが可能となる旨が記載されている。
【００１６】
次に、下記した特許文献２（特開２００２−８２４３号公報）に開示された光ディスク再生装置のイコライザ調整方法は、イコライザ調整を効率的に短時間で行うために本出願人が先に提案したものであり、ここでの図示を省略して、特許文献２を参照して簡略に説明すると、まず、ステップＳ１にて、カットオフ周波数を固定して、ブースト量を第１の初期値から順次異ならせて、最もジッタの少ないブースト量をブースト量の最適値として仮決定する。次に、ステップＳ２にて、ブースト量を固定して、カットオフ周波数を第２の初期値から順次異ならせて、最もジッタの少ないカットオフ周波数をカットオフ周波数の最適値として仮決定する。次に、ステップＳ３にて、第１の初期値，第２の初期値を、複数の光ディスクそれぞれにおける最適なブースト量，カットオフ周波数を測定して平均化した平均値とすることで、イコライザ調整を効率的に短時間で行うことができる旨が記載されている。
【００１７】
【特許文献１】特開２００１−２３１６７号公報
【特許文献２】特開２００２−８２４３号公報
【発明の開示】
【発明が解決しようとする課題】
【００１８】
ところで、上記した特許文献１に開示された光ディスク装置及び再生方法によれば、複数のブースト量や複数のカットオフ周波数についてジッタを合計で９回測定し、最もジッタの少ないブースト量とカットオフ周波数とを決定しているために、イコライザ調整に必ずある一定の時間がかかってしまい、イコライザ調整を短時間に行うことができないという問題点が生じる。
【００１９】
また、上記した特許文献２に開示された光ディスク再生装置のイコライザ調整方法によれば、上記した特許文献１よりもイコライザ調整の短時間化を図ることができるものの、ここでもブースト量の仮決定と、カットオフ周波数の仮決定との双方を行っているために、イコライザ調整をより一層効率良く短時間で行うことができない。
【００２０】
そこで、光ディスクの信号面に記録された情報信号を光ピックアップにより再生した時に、光ディスクからの戻り光を光ピックアップ内の多分割型フォトディテクで受光して得たＲＦ信号に対してジッタ値が最小となるようにイコライザ調整を行なうにあたって、イコライザ調整をより一層効率良く短時間で行うことができる光ディスク装置及び光ディスク装置のイコライザ調整方法が望まれている。
【課題を解決するための手段】
【００２１】
本発明は上記課題に鑑みてなされたものであり、第１の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のブースト量を予め記憶したメモリと、前記３点のブースト量に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のブースト量に対する３点のジッタ値のうちで２点目のジッタ値が最小でなかった場合は、前記３点のブースト量の漸減又は漸増の範囲をずらして前記波形等化器に再度設定し、２点目のジッタ値が最小になるまで前記３点のブースト量の変化と前記３点のジッタ値の検出とを繰り返した後に、前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置である。
【００２２】
また、第２の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のブースト量の設定範囲内に最適なブースト量が含まれるように適切な前記３点のブースト量を予め記憶したメモリと、前記３点のブースト量に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置である。
【００２３】
また、第３の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のカットオフ周波数を予め記憶したメモリと、前記３点のカットオフ周波数に対する各ジッタ値を比較判断する演算部及び判断部とを有する制御部と、
固定値のブースト量が設定された波形等化器と、前記メモリから出力された前記３点のカットオフ周波数がイコライザ調整時にのみ入力されるローパスフィルタとを有するイコライザ回路と、
前記イコライザ回路からの出力に対して前記３点のカットオフ周波数ごとに各ジッタ値を計測するジッタ値計測器と、を備え、
前記制御部は、前記ジッタ値計測器で計測した前記３点のカットオフ周波数に対する３点のジッタ値のうちで２点目のジッタ値が最小でなかった場合は、前記３点のカットオフ周波数の漸減又は漸増の範囲をずらして前記ローパスフィルタに再度設定し、２点目のジッタ値が最小になるまで前記３点のカットオフ周波数の変化と前記３点のジッタ値の検出とを繰り返した後に、前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置である。
【００２４】
また、第４の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置において、
大きさ順に値が異なる３点のカットオフ周波数の設定範囲内に最適なカットオフ周波数が含まれるように適切な前記３点のカットオフ周波数を予め記憶したメモリと、前記３点のカットオフ周波数に対する各ジッタ値を比較判断する演算部及び判断部とを有する制御部と、
固定値のブースト量が設定された波形等化器と、前記メモリから出力された前記３点のカットオフ周波数がイコライザ調整時にのみ入力されるローパスフィルタとを有するイコライザ回路と、
前記イコライザ回路からの出力に対して前記３点のブースト量ごとに各ジッタ値を計測するジッタ値計測器と、を備え、
前記制御部は、前記ジッタ値計測器で計測した前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置である。
【００２５】
また、第５の発明は、複数種の光ディスクの各信号面に記録された情報信号を光ピックアップにより選択的に再生した時に、各光ディスクからの戻り光を前記光ピックアップ内の多分割型フォトディテクで受光して得た各ＲＦ信号に対してジッタ値が最小となるようにイコライザ調整を行なう光ディスク装置において、
前記複数種の光ディスクの種類を判別する光ディスク種類判別手段と、
大きさ順に値が異なる３点のブースト量及び大きさ順に値が異なる３点のカットオフ周波数を予め記憶したメモリと、前記３点のブースト量及び前記３点のカットオフ周波数に対する各ジッタ値を比較判断する演算部及び判断部とを有する制御部と、
前記メモリから出力された前記３点のブースト量がイコライザ調整時にのみ入力される波形等化器と、固定値のカットオフ周波数が設定されたローパスフィルタとを有する第１のイコライザ回路と、
固定値のブースト量が設定された波形等化器と、前記メモリから出力された前記３点のカットオフ周波数がイコライザ調整時にのみ入力されるローパスフィルタとを有する第２のイコライザ回路と、
前記第１のイコライザ回路からの出力に対して前記３点のブースト量ごとに各ジッタ値を計測すると共に、前記第２のイコライザ回路からの出力に対して前記３点のカットオフ周波数ごとに各ジッタ値を計測するジッタ値計測器とを備え、
前記第１のイコライザ回路と、前記第２のイコライザ回路とを前記光ディスク種類判別手段からの判別結果に応じて選択的に切り換える切り換え手段と、
を備えたことを特徴とする光ディスク装置である。
【００２６】
また、第６の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のブースト量を予め記憶したメモリと、前記３点のブースト量に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のブースト量に対する３点のジッタ値のうちで２点目のジッタ値が最小でなかった場合は、前記３点のブースト量の漸減又は漸増の範囲をずらして前記波形等化器に再度設定し、２点目のジッタ値が最小になるまで前記３点のブースト量の変化と前記３点のジッタ値の検出とを繰り返した後に、前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置のイコライザ調整方法である。
【００２７】
また、第７の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のブースト量の設定範囲内に最適なブースト量が含まれるように適切な前記３点のブースト量を予め記憶したメモリと、前記３点のブースト量に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のブースト量に対する３点のジッタ値を二次曲線で近似し、この二次曲線のジッタ値が最小となる最適なブースト量を求めて、前記最適なブースト量を前記波形等化器に設定することを特徴とする光ディスク装置のイコライザ調整方法である。
【００２８】
また、第８の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のカットオフ周波数を予め記憶したメモリと、前記３点のカットオフ周波数に対する各ジッタ値を比較判断する演算部及び判断部とを有して前記イコライザ調整を制御する制御ステップと、
固定値のブースト量が設定された波形等化器と、前記メモリから出力された前記３点のカットオフ周波数がイコライザ調整時にのみ入力されるローパスフィルタとを有して前記イコライザ調整を行なうイコライザ調整ステップと、
前記イコライザ調整ステップからの出力に対して前記３点のカットオフ周波数ごとに各ジッタ値を計測するジッタ値計測ステップと、を含み、
前記制御ステップは、前記ジッタ値計測ステップで計測した前記３点のカットオフ周波数に対する３点のジッタ値のうちで２点目のジッタ値が最小でなかった場合は、前記３点のカットオフ周波数の漸減又は漸増の範囲をずらして前記ローパスフィルタに再度設定し、２点目のジッタ値が最小になるまで前記３点のカットオフ周波数の変化と前記３点のジッタ値の検出とを繰り返した後に、前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置のイコライザ調整方法である。
【００２９】
また、第９の発明は、光ディスクの信号面に記録された情報信号を光ピックアップにより再生した時に、前記光ディスクからの戻り光を前記光ピックアップ内の多分割型フォトディテクで受光して得たＲＦ信号に対してジッタ値が最小となるようにイコライザ調整を行なう光ディスク装置のイコライザ調整方法において、
大きさ順に値が異なる３点のカットオフ周波数の設定範囲内に最適なカットオフ周波数が含まれるように適切な前記３点のカットオフ周波数を予め記憶したメモリと、前記３点のカットオフ周波数に対する各ジッタ値を比較判断する演算部及び判断部とを有して前記イコライザ調整を制御する制御ステップと、
固定値のブースト量が設定された波形等化器と、前記メモリから出力された前記３点のカットオフ周波数がイコライザ調整時にのみ入力されるローパスフィルタとを有して前記イコライザ調整を行なうイコライザ調整ステップと、
前記イコライザ調整ステップからの出力に対して前記３点のブースト量ごとに各ジッタ値を計測するジッタ値計測ステップと、を含み、
前記制御ステップは、前記ジッタ値計測ステップで計測した前記３点のカットオフ周波数に対する３点のジッタ値を二次曲線で近似し、この二次曲線のジッタ値が最小となる最適なカットオフ周波数を求めて、前記最適なカットオフ周波数を前記ローパスフィルタに設定することを特徴とする光ディスク装置のイコライザ調整方法である。
【００３０】
また、第１０の発明は、複数種の光ディスクの各信号面に記録された情報信号を光ピックアップにより選択的に再生した時に、各光ディスクからの戻り光を前記光ピックアップ内の多分割型フォトディテクで受光して得た各ＲＦ信号に対してジッタ値が最小となるようにイコライザ調整を行なう光ディスク装置のイコライザ調整方法において、
前記複数種の光ディスクの種類を判別する光ディスク種類判別ステップと、
大きさ順に値が異なる３点のブースト量及び大きさ順に値が異なる３点のカットオフ周波数を予め記憶したメモリと、前記３点のブースト量及び前記３点のカットオフ周波数に対する各ジッタ値を比較判断する演算部及び判断部とを有して前記イコライザ調整を制御する制御ステップと、
前記メモリから出力された前記３点のブースト量がイコライザ調整時にのみ入力される波形等化器と、固定値のカットオフ周波数が設定されたローパスフィルタとを有して前記イコライザ調整を行なう第１のイコライザ調整ステップと、
固定値のブースト量が設定された波形等化器と、前記メモリから出力された前記３点のカットオフ周波数がイコライザ調整時にのみ入力されるローパスフィルタとを有して前記イコライザ調整を行なう第２のイコライザ調整ステップと、
前記第１のイコライザ調整ステップからの出力に対して前記３点のブースト量ごとに各ジッタ値を計測すると共に、前記第２のイコライザ調整ステップからの出力に対して前記３点のカットオフ周波数ごとに各ジッタ値を計測するジッタ値計測ステップと、
前記第１のイコライザ調整ステップと、前記第２のイコライザ調整ステップとを前記光ディスク種類判別ステップからの判別結果に応じて選択的に切り換える切り換えステップと、
を含むことを特徴とする光ディスク装置のイコライザ調整方法である。
【発明の効果】
【００３１】
上記した第１の発明の光ディスク装置及び上記した第６の発明の光ディスク装置のイコライザ調整方法によれば、光ディスクで再生したＲＦ信号に対してジッタ値が最小となるようにイコライザ回路（イコライザ調整ステップ）でイコライザ調整を行う際に、イコライザ回路（イコライザ調整ステップ）内のローパスフィルタに対して固定値のカットオフ周波数に設定した上で、イコライザ回路（イコライザ調整ステップ）内の波形等化器に対して大きさ順に値が異なる３点のブースト量を順次設定したときに、制御部（制御ステップ）は、ジッタ値計測器（ジッタ値計測ステップ）で計測した３点のブースト量に対する３点のジッタ値のうちで２点目のジッタ値が最小でなかった場合は、３点のブースト量の漸減又は漸増の範囲をずらして波形等化器に再度設定し、２点目のジッタ値が最小になるまで３点のブースト量の変化と３点のジッタ値の検出とを繰り返した後に、３点のブースト量に対する３点のジッタ値を二次曲線で近似し、この二次曲線のジッタ値が最小となる最適なブースト量を求めて、最適なブースト量を波形等化器に設定することで、先に説明した特許文献１及び特許文献２よりもイコライザ調整中にジッタ値の計測回数を削減できるために、イコライザ調整をより一層効率良く短時間で行うことができる。
【００３２】
また、上記した第２の発明の光ディスク装置及び上記した第７の発明の光ディスク装置のイコライザ調整方法によれば、光ディスクで再生したＲＦ信号に対してジッタ値が最小となるようにイコライザ回路（イコライザ調整ステップ）でイコライザ調整を行う際に、イコライザ回路（イコライザ調整ステップ）内のローパスフィルタに対して固定値のカットオフ周波数に設定した上で、イコライザ回路（イコライザ調整ステップ）内の波形等化器に対して大きさ順に値が異なる３点のブースト量の設定範囲内に最適なブースト量が含まれる可能性が高くなるように、適切な３点のブースト量を制御部（制御ステップ）のメモリ内に予め準備しておくことで、制御部（制御ステップ）は、ジッタ値計測器（ジッタ値計測ステップ）で計測した３点のブースト量に対する３点のジッタ値を二次曲線で近似し、この二次曲線のジッタ値が最小となる最適なブースト量を求めているので、３点のみのジッタ値の測定でジッタ値が最小となるような最適なブースト量が決定できることになり、イコライザ調整を更により一層効率良く短時間で行うことができる。
【００３３】
また、上記した第３の発明の光ディスク装置及び上記した第８の発明の光ディスク装置のイコライザ調整方法によれば、光ディスクで再生したＲＦ信号に対してジッタ値が最小となるようにイコライザ回路（イコライザ調整ステップ）でイコライザ調整を行う際に、イコライザ回路（イコライザ調整ステップ）内の波形等化器に対して固定値のブースト量に設定した上で、イコライザ回路（イコライザ調整ステップ）内のローパスフィルタに対して大きさ順に値が異なる３点のカットオフ周波数を順次設定したときに、制御部（制御ステップ）は、ジッタ値計測器（ジッタ値計測ステップ）で計測した３点のカットオフ周波数に対する３点のジッタ値のうちで２点目のジッタ値が最小でなかった場合は、３点のカットオフ周波数の漸減又は漸増の範囲をずらしてローパスフィルタに再度設定し、２点目のジッタ値が最小になるまで３点のカットオフ周波数の変化と３点のジッタ値の検出とを繰り返した後に、３点のカットオフ周波数に対する３点のジッタ値を二次曲線で近似し、この二次曲線のジッタ値が最小となる最適なカットオフ周波数を求めて、最適なカットオフ周波数をローパスフィルタに設定することで、先に説明した特許文献１及び特許文献２よりもイコライザ調整中にジッタ値の計測回数を削減できるために、イコライザ調整をより一層効率良く短時間で行うことができる。
【００３４】
また、上記した第４の発明の光ディスク装置及び上記した第９の発明の光ディスク装置のイコライザ調整方法によれば、光ディスクで再生したＲＦ信号に対してジッタ値が最小となるようにイコライザ回路（イコライザ調整ステップ）でイコライザ調整を行う際に、イコライザ回路（イコライザ調整ステップ）内の波形等化器に対して固定値のブースト量に設定した上で、イコライザ回路（イコライザ調整ステップ）内のローパスフィルタに対して大きさ順に値が異なる３点のカットオフ周波数の設定範囲内に最適なカットオフ周波数が含まれる可能性が高くなるように、適切な３点のカットオフ周波数を制御部（制御ステップ）のメモリ内に予め準備しておくことで、制御部（制御ステップ）は、ジッタ値計測器（ジッタ値計測ステップ）で計測した３点のカットオフ周波数に対する３点のジッタ値を二次曲線で近似し、この二次曲線のジッタ値が最小となる最適なカットオフ周波数を求めているので、３点のみのジッタ値の測定でジッタ値が最小となるような最適なカットオフ周波数が決定できることになり、イコライザ調整を更により一層効率良く短時間で行うことができる。
【００３５】
また、上記した第５の発明の光ディスク装置及び上記した第１０の発明の光ディスク装置のイコライザ調整方法によれば、複数種の光ディスクで選択的に再生した各ＲＦ信号に対してジッタ値が最小となるようにイコライザ回路（イコライザ調整ステップ）でイコライザ調整を行う際に、大きさ順に値が異なる３点のブースト量を用いる第１のイコライザ回路（第１のイコライザ調整ステップ）と、大きさ順に値が異なる３点のカットオフ周波数を用いる第２のイコライザ回路（第２のイコライザ調整ステップ）とを、光ディスク種類判別手段（光ディスク種類判別ステップ）から出力される判別結果に応じて切り換え手段（切り換えステップ）により選択的に切り換えているので、光ディスクの種類に応じて３点のブースト量や、３点のカットオフ周波数を制御部（制御ステップ）のメモリ内にそれぞれ予め準備しておくことで、光ディスクの種類に応じて第１，第２のイコライザ回路（第１，第２のイコライザ調整ステップ）ごとに３点のみのジッタ値の測定でジッタ値が最小となるような最適なブースト量やカットオフ周波数が決定できることになり、イコライザ調整をより一層効率良く短時間で行うことが可能であると共に、光ディスクの種類に応じて多様にイコライザ調整を行うことができる。
【発明を実施するための最良の形態】
【００３６】
以下に本発明に係る光ディスク装置及び光ディスク装置のイコライザ調整方法の一実施例について図１〜図８を参照して、実施例１，実施例２，実施例３の順に詳細に説明する。
【実施例１】
【００３７】
図１は本発明に係る実施例１の光ディスク装置の全体構成を示した構成図、
図２は図１に示した光ピックアップ内に設けた多分割型フォトディテクタを拡大して示した図である。
【００３８】
図１に示した如く、実施例１の光ディスク装置１０Ａでは、この内部に装置全体を制御するための制御部１１がマイクロコンピュータを用いて設けられており、且つ、制御部１１内には制御動作を指令するソフトを予め格納したＲＯＭ１１ａと、後述するイコライザ調整時にブースト量やカットオフ周波数（遮断周波数）とかジッタ値などを一時的に記憶させるＲＡＭ１１ｂと、イコライザ調整時に使用する演算部１１ｃ及び判断部１１ｄとが設けられている。
【００３９】
また、光ディスク装置１０Ａ内には、光ディスクＤとして例えばＢＤ規格に準拠したＢＤ（Ｂｌｕ−ｒａｙ  Ｄｉｓｃ）と、ＤＶＤ規格に準拠したＤＶＤ（Ｄｉｇｉｔａｌ  Ｖｅｒｓａｔｉｌｅ  Ｄｉｓｃ）とのいずれか一方が、スピンドルモータ１２の軸１２ａに固着したターンテーブル１３上に選択的に着脱可能に搭載されて、上方からディスククランパ１４でターンテーブル１３上に押圧されてしっかりとクランプされていると共に、制御回路１１からの指令で動作する第１モータ駆動回路１５を介してスピンドルモータ１２の回転数がＣＬＶ制御されて、光ディスクＤがターンテーブル１３及びディスククランパ１４と一体に回転自在になっている。
【００４０】
また、光ディスクＤの下方には、光ピックアップ２０が光ディスクＤの半径方向に移動自在に設けられており、この光ピックアップ２０は、光ピックアップ筐体２１の螺合部２１ａが制御部１１からの指令で動作する第２モータ駆動回路１６により回転駆動されるスレッドモータ１７に連結したリードスクリュー１８に螺合することで、光ディスクＤの半径方向に直線移動自在に設けられている。
【００４１】
上記した光ピックアップ２０は、再生専用タイプの光ディスクと、記録再生可能タイプの光ディスクとに対応できるようにメインビームと一対のサブビームとを使用する方式を採用して構成されているが、再生専用の光ディスクだけに対応させる場合には１ビーム方式でも可能である。
【００４２】
具体的に説明すると、光ピックアップ２０の光ピックアップ筐体２１内には、波長が４００ｎｍ近辺の第１レーザー光Ｌ１を出射するＢＤ用の第１レーザー光源２２ａ及び波長６５０ｎｍ近辺の第２レーザー光Ｌ２を出射するＤＶＤ用の第２レーザー光源２２ｂと、これら第１又は第２レーザー光源２２ａ又は２２ｂからのレーザー光を平行光に変換するコリメータレンズ２３と、この平行光のレーザー光をメインビームと２つのサブビームとによる３ビームに分離する回折素子２４と、第１又は第２レーザー光源２２ａ又は２２ｂからのレーザー光と光ディスクＤからの戻り光とを分離するビームスプリッタ２５と、平行光のレーザー光を円偏光に変換するλ／４板２６と、レンズホルダ２７内に取り付けられてメインビームと２つのサブビームとによる３ビームの第１又は第２レーザービームＬ１又はＬ２を光ディスクＤの信号面上に集光するＢＤ，ＤＶＤ共用の対物レンズ２８と、レンズホルダ２７の外周に取り付けられて対物レンズ２８をトラッキング方向及びフォーカス方向に揺動させるトラッキングコイル２９及びフォーカスコイル３０と、光ディスクＤの信号面で反射されたメインビームと２つのサブビームとによる３ビームの戻り光を検出レンズ３１，シリンドリカルレンズ３２を介して検出する多分割型フォトディテクタ３３とで構成されている。
【００４３】
そして、制御部１１の指令により半導体レーザー駆動回路１９及びスイッチＳＷ１を介して第１，第２レーザー光源２２ａ，２２ｂのいずれか一方を選択的に始動させて所定波長のレーザー光を出射させると、このレーザー光はコリメータレンズ２３，回折素子２４，ビームスプリッタ２５，λ／４板２６を経由して対物レンズ２８に入射され、この対物レンズ２８で絞り込んだメインビームと２つのサブビームとによる３ビームの第１又は第２レーザービームＬ１又はＬ２が光ディスクＤの信号面に到達し、メインビームは信号面中の一つのトラックにスポット状に照射されると共に、２つのサブビームは一つのトラックを中心とした両側にスポット状に照射されている。
【００４４】
この際、上記した半導体レーザー駆動回路１９は、光ディスクＤの信号面に情報信号を記録する場合には、ここに印加される記録信号ＲＳに応じて第１，第２レーザー光源２２ａ，２２ｂのいずれか一方から記録パワーを持たせた記録用のレーザー光を出射させるように駆動し、一方、記録済みの光ディスクＤを再生する場合には記録パワーよりもパワーが小さい再生用のレーザー光を出射させるように駆動している。
【００４５】
また、上記した対物レンズ２８は、ＢＤに対して開口数（ＮＡ）が略０．８５程度であり、且つ、ＤＶＤに対して開口数（ＮＡ）が略０．６５程度となるようにλ／４板２６と対向する面側に開口制限処理が施されている。
【００４６】
この後、光ディスクＤの信号面に膜付けした金属反射層（図示せず）で反射されたメインビームの戻り光と２つのサブビームの戻り光とが、対物レンズ２８，λ／４板２６を通過してビームスプリッタ２５で反射されて検出レンズ３１，シリンドリカルレンズ３２を介して多分割型フォトディテクタ３３上にそれぞれに集光される。
【００４７】
ここで、多分割型フォトディテクタ３３は、図２に拡大して示したように、光ディスクＤ上の一つのトラックに照射したメインビームＭＢの戻り光を検出する４個の受光領域Ａ〜Ｄと、一つのトラックに隣接する一方のトラックに照射した一方のサブビームＳＢ１を検出する２個の受光領域Ｅ，Ｆと、一つのトラックに隣接する他方のトラックに照射した他方のサブビームＳＢ２を検出する２個の受光領域Ｇ，Ｈとが一つの半導体基板（図示せず）上に配置されており、各領域Ａ〜Ｈは光ディスクＤのトラック方向及び半径方向に対して図示の配置関係となっている。尚、再生専用の光ディスクだけに対応させた１ビーム方式では、一つのトラックに照射したメインビームＭＢだけである。
【００４８】
再び図１に戻り、光ピックアップ２０内の多分割型フォトディテクタ３３より後段には、トラッキング制御系としてＴＥ（トラッキングエラー）信号検出回路４０と第１Ａ／Ｄ変換器４１とが制御部１１に接続され、且つ、フォーカス制御系としてＦＥ（フォーカスエラー）信号検出回路５０と第２Ａ／Ｄ変換器５１とが制御部１１に接続されていると共に、更に、多分割型フォトディテクタ３３より後段にＲＦ信号検出回路６０が設けられている。
【００４９】
ここで、上記したＴＥ信号検出回路４０では、対物レンズ２８を光ディスクＤに対してトラッキング方向に制御するためのトラッキングエラー信号ＴＥを検出しており、このトラッキングエラー信号ＴＥは周知のＤＰＰ（Ｄｉｆｆｅｒｅｎｔｉａｌ  Ｐｕｓｈ  Ｐｕｌｌ）法により図２に示した多分割型フォトディテクタ３３内の各受光領域Ａ〜Ｈで受光した各検出信号に対して下記の式１に基づいて演算処理されている。
［数１］
ＴＥ＝｛（Ａ＋Ｄ）−（Ｂ＋Ｃ）｝＋｛（Ｅ−Ｆ）＋（Ｇ−Ｈ）｝    （式１）。
【００５０】
そして、ＴＥ信号検出回路４０で検出したアナログのトラッキングエラー信号ＴＥを第１Ａ／Ｄ変換器４１でディジタルのトラッキングエラー信号ＴＥに変換して制御部１１に入力させ、この後、制御部１１内でトラッキングエラー信号ＴＥに基づいてトラッキング制御駆動信号ＴＤを生成して、このトラッキング制御駆動信号ＴＤを第１Ｄ／Ａ変換器４２とＴＤ  ＤＲＩＶＥ（トラッキング駆動）回路４３とを介してトラッキングコイル２９に印加することで、対物レンズ２８が光ディスクＤに対してトラッキング制御できるようになっている。
【００５１】
次に、上記したＦＥ信号検出回路５０では、対物レンズ２８を光ディスクＤに対してフォーカス方向に制御するためのフォーカスエラー信号ＦＥを検出しており、このフォーカスエラー信号ＦＥは周知の非点収差法により図２に示した多分割型フォトディテクタ３３内の各受光領域Ａ〜Ｄで受光した各検出信号に対して下記の式２に基づいて演算処理されている。
［数２］
ＦＥ＝（Ａ＋Ｃ）−（Ｂ＋Ｄ）      （式２）。
【００５２】
そして、ＦＥ信号検出回路５０で検出したアナログのフォーカスエラー信号ＦＥを第２Ａ／Ｄ変換器５１でディジタルのフォーカスエラー信号ＦＥに変換して制御部１１に入力させ、この後、制御部１１内でフォーカスエラー信号ＦＥに基づいてフォーカス制御駆動信号ＦＤを生成して、このフォーカス制御駆動信号ＦＤを第２ＤＡ変換器５２とＦＤ  ＤＲＩＶＥ（フォーカス駆動）回路５３とを介してフォーカスコイル３０に印加することで、対物レンズ２８が光ディスクＤに対してフォーカス制御できるようになっている。
【００５３】
次に、上記したＲＦ信号検出回路６０では、光ディスクＤの信号面に記録された映像データとか音声データなどによるデータ信号ＲＦ（以下、ＲＦ信号と呼称する）を以下図２に示した多分割型フォトディテクタ３３内の各受光領域Ａ〜Ｄで受光した各検出信号に対して下記の式３に基づいて加算演算処理されている。
［数３］
ＲＦ＝Ａ＋Ｂ＋Ｃ＋Ｄ      （式４）。
【００５４】
また、ＦＥ信号検出回路５０及びＲＦ信号検出回路６０の各後段には、ターンテーブル１３上に装着された光ディスクＤがＢＤであるか、それともＤＶＤであるかを判別するための光ディスク種類判別回路７０が設けられている。
【００５５】
上記した光ディスク種類判別回路７０では、ＦＥ信号検出回路５０から出力されたフォーカスエラー信号ＦＥと、ＲＦ信号検出回路６０から出力されたＲＦ信号とが入力されており、ここでは例えば特開２００６−３２３９３６号公報に開示された技術的思想などを用いて、例えば最初に最短波長であるＢＤ用の第１レーザー光源２２ａから４００ｎｍ近辺の第１レーザー光Ｌ１を発光させて、光ディスクＤに対して対物レンズ２８でフォーカスサーチし、ＲＦ信号による全反射光量を演算して、光ディスクＤが装着されているか否かを判別すると共に、装着されている光ディスクＤがＢＤであればＢＤ判別信号Ｄｂを制御部１１に出力する一方、ＤＶＤであればＤＶＤ判別信号Ｄｄを制御部１１に出力するようになっている。
【００５６】
尚、光ディスク種類判別回路７０は、上記の方法に限られる訳ではなく、ＢＤとＤＶＤとが判別できればいかなる方法でも良いものである。
【００５７】
更に、ＲＦ信号検出回路６０の後段には、実施例１の要部となるイコライザ回路８０Ａが光ディスク種類判別回路７０とは別に分岐して設けられている。
【００５８】
上記したイコライザ回路８０Ａ内は、波形等化器８１Ａと、ＬＰＦ（ローパスフィルタ）８２Ａとで構成されている。
【００５９】
そして、イコライザ回路８０Ａ内の波形等化器８１Ａでは、制御部１１のＲＡＭ１１ｂ内に予め記憶させておいた大きさ順に値が異なる３点のブースト量ｂｔ１，ｂｔ２，ｂｔ３を入力させて、これら３点のブースト量ｂｔ１，ｂｔ２，ｂｔ３を用いて後述するイコライザ調整方法によりジッタ値が最も小さくなる最適なブースト量を求めて、この最適なブースト量によりＲＦ信号中である周波数を中心としてＲＦ信号をブーストしてゲインを上げるようになっている。
【００６０】
この際、制御部１１のＲＡＭ１１ｂ内に予め記憶させた大きさ順に値が異なる３点のブースト量ｂｔ１，ｂｔ２，ｂｔ３については、ＢＤ規格及びＤＶＤ規格に準拠した複数のテスト用光ディスクや市販されている複数の光ディスクから、光ディスクの種類ごとに決定しておくのが好ましく、光ディスク種類判別回路７０から出力されるＢＤ判別信号Ｄｂ又はＤＶＤ判別信号Ｄｄに応じて制御部１１のＲＡＭ１１ｂ内から３点のブースト量ｂｔ１，ｂｔ２，ｂｔ３を順次出力すれば良い。
【００６１】
また、イコライザ回路８０Ａ内のＬＰＦ８２Ａでは、制御部１１のＲＡＭ１１ｂ内に予め記憶させた固定値のカットオフ周波数ｃｆ０又はＬＰＦ８２Ａの内部に予め記憶させた固定値のカットオフ周波数ｃｆ０が設定されており、この固定値のカットオフ周波数ｃｆ０によりＲＦ信号中である周波数以上又は以下もしくはある周波数幅の成分を、基準レベルより３ｄＢ低減させるようになっている。
【００６２】
従って、実施例１の要部となるイコライザ回路８０Ａ内では、ＲＦ信号に対するカットオフ周波数を固定するも、ＲＦ信号に対するブースト量を大きさ順に値が異なる３点のブースト量ｂｔ１，ｂｔ２，ｂｔ３を用いてジッタ値が最も小さくなる最適なブースト量を求めることで後述する本発明に係る実施例１の光ディスク装置のイコライザ調整方法を実施しているので、光ディスクＤからの戻り光を光ピックアップ２０内の多分割型フォトディテク３３で受光して得たＲＦ信号に対してイコライザ調整をより一層効率良く短時間で行うことができるものである。
【００６３】
そして、イコライザ回路８０Ａからの出力は、この後段に設けた二値化回路８３で二値化されて二値化データＴＤが３つに分岐されてＰＬＬ（Ｐｈａｓｅ  Ｌｏｃｋｅｄ  Ｌｏｏｐ）回路８４とジッタ値計測器８５と信号処理回路８６とにそれぞれ入力されている。
【００６４】
上記したＰＬＬ回路８４では、二値化回路８３から出力された二値化データＴＤに対して位相を同期させたクロックＣＬＫを生成し、このクロックＣＬＫをジッタ値計測器８５に入力させている。
【００６５】
また、上記したジッタ値計測器８５では、二値化回路８３から出力された二値化データＴＤと、ＰＬＬ回路８４から出力されたクロックＣＬＫとの位相のズレ（以下、ジッタ値と呼称する）を計測して、ＲＦ信号に対するジッタ値ｊｔを制御部１１のＲＡＭ１１ｂ内に一時的に格納している。
【００６６】
また、上記した信号処理回路８６では、二値化回路８３から出力された二値化データＴＤを基にして、光ディスク種類検出回路７０で検出した光ディスクＤの種類に応じて、光ディスクＤの規格に対応した所定のフォーマットに基づいてメインデータ信号ＭＤを得ている。
【００６７】
尚、上記した実施例１の光ディスク装置１０Ａでは、複数種の光ディスクＤとして、ＢＤとＤＶＤとを選択的に装着可能に構成したが、これに限ることなく、周知のＣＤも適用できるように、波長が７８０ｎｍ近辺の第３レーザー光を出射するＣＤ用の第３レーザー光源（図示せず）を設けても良く、このＣＤの場合には対物レンズ２８の開口数が略０．４５程度になるように対物レンズ２８に対して開口制限処理を施せば良いものである。
【００６８】
ここで、上記のように構成した実施例１の光ディスク装置１０Ａにより実施例１の光ディスク装置のイコライザ調整方法について、先に説明した図１と、新たな図３及び図４を併用して説明する。
【００６９】
図３は本発明に係る実施例１の光ディスク装置のイコライザ調整方法を説明するためのフロー図、
図４は本発明に係る実施例１の光ディスク装置のイコライザ調整方法において、ブースト量とジッタ値との関係を示した特性図である。
【００７０】
図３に示した如く、実施例１のイコライザ調整を開始すると、まず、ステップＳ１では、イコライザ回路８０Ａ内の波形等化器８１Ａに対して、制御部１１のＲＡＭ１１ｂ内に予め記憶させておいた大きさ順に値が異なる３点のブースト量ｂｔ１，ｂｔ２，ｂｔ３のうちで１点目のブースト量の初期値ｂｔ１を入力して、このブースト量の初期値ｂｔ１を波形等化器８１Ａに設定する。
【００７１】
次に、ステップＳ２では、ブースト量の初期値ｂｔ１に設定したイコライザ回路８０Ａからの出力を二値化回路８３で二値化して、二値化データＴＤをＰＬＬ回路８４とジッタ値計測器８５とに供給し、このジッタ値計測器８５でブースト量の初期値ｂｔ１に対応して１点目のジッタ値ｊｔ１を計測して、この１点目のジッタ値ｊｔ１を制御部１１のＲＡＭ１１ｂ内に一時的に記憶させる。
【００７２】
次に、ステップＳ３では、ブースト量の初期値ｂｔ１よりも大きな値を有する２点目のブースト量ｂｔ２を制御部１１のＲＡＭ１１ｂからイコライザ回路８０Ａ内の波形等化器８１Ａに入力する。
【００７３】
次に、ステップＳ４では、ステップＳ２と同様な操作により、２点目のブースト量ｂｔ２と対応した２点目のジッタ値ｊｔ２を計測して、この２点目のジッタ値ｊｔ２を制御部１１のＲＡＭ１１ｂ内に一時的に記憶させる。
【００７４】
次に、ステップＳ５では、２点目のブースト量ｂｔ２よりも大きな値を有する３点目のブースト量ｂｔ３を制御部１１のＲＡＭ１１ｂからイコライザ回路８０Ａ内の波形等化器８１Ａに入力する。
【００７５】
次に、ステップＳ６では、ステップＳ２及びステップ４と同様な操作により、３点目のブースト量ｂｔ３と対応した３点目のジッタ値ｊｔ３を計測して、この３点目のジッタ値ｊｔ３を制御部１１のＲＡＭ１１ｂ内に一時的に記憶させる。
【００７６】
次に、ステップＳ７では、制御部１１のＲＡＭ１１ｂ内に一時的に記憶させた３点のジッタ値ｊｔ１，ｊｔ２，ｊｔ３の大小関係を制御部１１の演算部１１ｃ及び判断部１１ｄにより判定して、１点目のジッタ値ｊｔ１が最小であるか否かを問い、判定の結果、１点目のジッタ値ｊｔ１が一番小さかった場合（ＹＥＳの場合）、最適なブースト量は３点のブースト量ｂｔ１，ｂｔ２，ｂｔ３の変化範囲より小さい値であると推定して、ステップＳ８にてブースト量の初期値ｂｔ１を今回この初期値ｂｔ１よりも小さな値で波形等化器８１Ａに再度設定してステップＳ１に戻り、この後、ステップＳ１から３点のジッタ値測定の処理を再度繰り返す。
【００７７】
一方、ステップＳ７にて１点目のジッタ値ｊｔ１が最小でなかった場合（ＮＯの場合）には、ステップＳ９にて、３点目のジッタ値ｊｔ３が最小であるか否かを問い、判定の結果、３点目のジッタ値ｊｔ１が一番小さかった場合（ＹＥＳの場合）、最適なブースト量は３点のブースト量ｂｔ１，ｂｔ２，ｂｔ３の変化範囲より大きい値であると推定して、ステップＳ１０にてブースト量の初期値ｂｔ１を今回この初期値ｂｔ１よりも大きな値で波形等化器８１Ａに再度設定してステップＳ１に戻り、この後、ステップＳ１から３点のジッタ値測定の処理を再度繰り返す。
【００７８】
言い換えると、上記したステップＳ８又は上記したステップＳ１０では、ジッタ値計測器８５で計測した３点のブースト量ｂｔ１，ｂｔ２，ｂｔ３に対する３点のジッタ値ｊｔ１，ｊｔ２，ｊｔ３のうちで２点目のジッタ値ｊｔ２が最小でなかった場合に、３点のブースト量ｂｔ１，ｂｔ２，ｂｔ３の漸増の範囲をずらして波形等化器８１Ａに再度設定していることになる。
【００７９】
尚、この実施例１では、上記したステップＳ８又は上記したステップＳ１０において、３点のブースト量ｂｔ１，ｂｔ２，ｂｔ３の漸増の範囲をずらして波形等化器８１Ａに再度設定しているが、上記と逆に、３点のブースト量ｂｔ１，ｂｔ２，ｂｔ３の漸減の範囲をずらして波形等化器８１Ａに再度設定することでも良いものである。
【００８０】
次に、ステップＳ１１では、ステップＳ９で３点目のジッタ値ｊｔ３が最小でない場合（ＮＯの場合）であるので、ステップＳ７及びステップＳ９を合わせて２点目のジッタ値ｊｔ２が一番小さかった場合ということになり、３点のブースト量ｂｔ１，ｂｔ２，ｂｔ３の変化範囲内に最適な設定値が含まれると推定されるので、３点のブースト量ｂｔ１，ｂｔ２，ｂｔ３におけるジッタ値ｊｔ１，ｊｔ２，ｊｔ３を、図３に示したようなブースト量に対するジッタ値の二次曲線として近似させる。
【００８１】
次に、ステップＳ１２では、上記した二次曲線のジッタ値最小点（頂点）におけるブースト量を計算により求め、これを最適なブースト量ｂｔ−ｂｅｓｔとする。
【００８２】
次に、ステップＳ１３では、ステップＳ１２で求めた最適なブースト量ｂｔ−ｂｅｓｔを制御部１１を介してイコライザ回路８０Ａ内の波形等化器８１Ａに設定してイコライザ調整を終了する。
【００８３】
以上、詳述した本発明に係る実施例１の光ディスク装置及び光ディスク装置のイコライザ調整方法によれば、光ディスクＤで再生したＲＦ信号に対してジッタ値が最小となるようにイコライザ回路８０Ａでイコライザ調整を行う際に、イコライザ回路８０Ａ内のＬＰＦ８２Ａに対して固定値のカットオフ周波数ｃｆ０に設定した上で、イコライザ回路８０Ａ内の波形等化器８１Ａに対して大きさ順に値が異なる３点のブースト量ｂｔ１，ｂｔ２，ｂｔ３を順次設定したときに、制御部１１は、ジッタ値計測器８５で計測した３点のブースト量ｂｔ１，ｂｔ２，ｂｔ３に対する３点のジッタ値ｊｔ１，ｊｔ２，ｊｔ３のうちで２点目のジッタ値ｊｔ２が最小でなかった場合は、３点のブースト量ｂｔ１，ｂｔ２，ｂｔ３の漸減又は漸増の範囲をずらして波形等化器８１Ａに再度設定し、２点目のジッタ値ｊｔ２が最小になるまで３点のブースト量ｂｔ１，ｂｔ２，ｂｔ３の変化と３点のジッタ値ｊｔ１，ｊｔ２，ｊｔ３の検出とを繰り返した後に、３点のブースト量ｂｔ１，ｂｔ２，ｂｔ３に対する３点のジッタ値ｊｔ１，ｊｔ２，ｊｔ３を二次曲線で近似し、この二次曲線のジッタ値が最小となる最適なブースト量ｂｔ−ｂｅｓｔを求めて、最適なブースト量ｂｔ−ｂｅｓｔを波形等化器８１Ａに設定することで、先に説明した特許文献１及び特許文献２よりもイコライザ調整中にジッタ値の計測回数を削減できるために、イコライザ調整をより一層効率良く短時間で行うことができる。
【００８４】
尚、上記した本発明に係る実施例１の光ディスク装置のイコライザ調整方法において、光ディスクＤで再生したＲＦ信号に対してジッタ値が最小となるようにイコライザ回路８０Ａでイコライザ調整を行う際に、イコライザ回路８０Ａ内のＬＰＦ８２Ａに対して固定値のカットオフ周波数ｃｆ０に設定した上で、イコライザ回路８０Ａ内の波形等化器８１Ａに対して大きさ順に値が異なる３点のブースト量ｂｔ１，ｂｔ２，ｂｔ３の設定範囲内に最適なブースト量ｂｔ−ｂｅｓｔが含まれる可能性が高くなるように、適切な３点のブースト量ｂｔ１，ｂｔ２，ｂｔ３を制御部１１のＲＡＭ１１ｂ内に予め準備しておくことで、上記したステップ８及びステップ９を省略できるので、制御部１１は、ジッタ値計測器８５で計測した３点のブースト量ｂｔ１，ｂｔ２，ｂｔ３に対する３点のジッタ値ｊｔ１，ｊｔ２，ｊｔ３を二次曲線で近似し、この二次曲線のジッタ値が最小となる最適なブースト量ｂｔ−ｂｅｓｔを求めているので、３点のみのジッタ値ｊｔ１，ｊｔ２，ｊｔ３の測定でジッタ値が最小となるような最適なブースト量ｂｔ−ｂｅｓｔが決定できることになり、イコライザ調整を更により一層効率良く短時間で行うことができる。
【実施例２】
【００８５】
図５は本発明に係る実施例２の光ディスク装置の全体構成を示した構成図である。
【００８６】
図５に示した本発明に係る実施例２の光ディスク装置１０Ｂは、先に説明した本発明に係る実施例１の光ディスク装置１０Ａの構成と一部を除いて同様の構成であり、具体的には、実施例１の要部となるイコライザ回路８０Ａが実施例２の要部となるイコライザ回路８０Ｂに置換されているだけであり、ここでは説明の便宜上、先に示した構成部材に対しては同一の符号を付して詳述を省略するものの、実施例２の要部となるイコライザ回路８０Ｂについてのみ説明する。
【００８７】
図５に示した如く、本発明に係る実施例２の光ディスク装置１０Ｂでは、実施例２の要部となるイコライザ回路８０Ｂが、ＲＦ信号検出回路６０の後段に光ディスク種類判別回路７０とは別に分岐して設けられている。
【００８８】
上記したイコライザ回路８０Ｂ内は、波形等化器８１Ｂと、ＬＰＦ８２Ｂとで構成されている。
【００８９】
そして、イコライザ回路８０Ｂ内の波形等化器８１Ｂでは、制御部１１のＲＡＭ１１ｂ内に予め記憶させた固定値のブースト量ｂｔ０又は波形等化器８１Ｂの内部に予め記憶させた固定値のブースト量ｂｔ０が設定されており、この固定値のブースト量ｂｔ０によりＲＦ信号中である周波数を中心としてＲＦ信号をブーストしてゲインを上げるようになっている。
【００９０】
また、イコライザ回路８０Ｂ内のＬＰＦ８２Ｂでは、制御部１１のＲＡＭ１１ｂ内に予め記憶させておいた大きさ順に値が異なる３点のカットオフ周波数ｃｆ１，ｃｆ２，ｃｆ３を入力させて、これら３点のカットオフ周波数ｃｆ１，ｃｆ２，ｃｆ３を用いて後述するイコライザ調整方法によりジッタ値が最も小さくなる最適なカットオフ周波数を求めて、この最適なカットオフ周波数によりＲＦ信号中である周波数以上又は以下もしくはある周波数幅の成分を、基準レベルより３ｄＢ低減させるようになっている。
【００９１】
この際、制御部１１のＲＡＭ１１ｂ内に予め記憶させた大きさ順に値が異なる３点のカットオフ周波数ｃｆ１，ｃｆ２，ｃｆ３については、ＢＤ規格及びＤＶＤ規格に準拠した複数のテスト用光ディスクや市販されている複数の光ディスクから、光ディスクの種類ごとに決定しておくのが好ましく、光ディスク種類判別回路７０から出力されるＢＤ判別信号Ｄｂ又はＤＶＤ判別信号Ｄｄに応じて制御部１１のＲＡＭ１１ｂ内から３点のカットオフ周波数ｃｆ１，ｃｆ２，ｃｆ３を順次出力すれば良い。
【００９２】
従って、実施例２の要部となるイコライザ回路８０Ｂ内では、ＲＦ信号に対するブースト量を固定するも、ＲＦ信号に対するカットオフ周波数を大きさ順に値が異なる３点のカットオフ周波数ｃｆ１，ｃｆ２，ｃｆ３を用いてジッタ値が最も小さくなる最適なカットオフ周波数を求めることで後述する本発明に係る実施例２の光ディスク装置のイコライザ調整方法を実施しているので、光ディスクＤからの戻り光を光ピックアップ２０内の多分割型フォトディテク３３で受光して得たＲＦ信号に対してイコライザ調整をより一層効率良く短時間で行うことができるものである。
【００９３】
そして、イコライザ回路８０Ｂからの出力は、実施例１と同様に、この後段に設けた二値化回路８３で二値化されて二値化データＴＤが３つに分岐されてＰＬＬ回路８４とジッタ値計測器８５と信号処理回路８６とにそれぞれ入力されている。
【００９４】
ここで、上記のように構成した実施例２の光ディスク装置１０Ｂにより実施例２の光ディスク装置のイコライザ調整方法について、先に説明した図５と、新たな図６及び図７を併用して説明する。
【００９５】
図６は本発明に係る実施例２の光ディスク装置のイコライザ調整方法を説明するためのフロー図、
図７は本発明に係る実施例２の光ディスク装置のイコライザ調整方法において、ブースト量とジッタ値との関係を示した特性図である。
【００９６】
図６に示した如く、実施例２のイコライザ調整を開始すると、まず、ステップＳ２１では、イコライザ回路８０Ｂ内のＬＰＦ８２Ｂに対して、制御部１１のＲＡＭ１１ｂ内に予め記憶させておいた大きさ順に値が異なる３点のカットオフ周波数ｃｆ１，ｃｆ２，ｃｆ３のうちで１点目のカットオフ周波数の初期値ｃｆ１を入力して、このカットオフ周波数の初期値ｃｆ１をＬＰＦ８２Ｂに設定する。
【００９７】
次に、ステップＳ２２では、カットオフ周波数の初期値ｃｆ１に設定したイコライザ回路８０Ｂからの出力を二値化回路８３で二値化して、二値化データＴＤをＰＬＬ回路８４とジッタ値計測器８５とに供給し、このジッタ値計測器８５でカットオフ周波数の初期値ｃｆ１に対応して１点目のジッタ値ｊｔ１を計測して、この１点目のジッタ値ｊｔ１を制御部１１のＲＡＭ１１ｂ内に一時的に記憶させる。
【００９８】
次に、ステップＳ２３では、カットオフ周波数の初期値ｃｆ１よりも大きな値を有する２点目のカットオフ周波数ｃｆ２を制御部１１のＲＡＭ１１ｂからイコライザ回路８０Ｂ内のＬＰＦ８２Ｂに入力する。
【００９９】
次に、ステップＳ２４では、ステップＳ２２と同様な操作により、２点目のカットオフ周波数ｃｆ２と対応した２点目のジッタ値ｊｔ２を計測して、この２点目のジッタ値ｊｔ２を制御部１１のＲＡＭ１１ｂ内に一時的に記憶させる。
【０１００】
次に、ステップＳ２５では、２点目のカットオフ周波数ｃｆ２よりも大きな値を有する３点目のカットオフ周波数ｃｆ３を制御部１１のＲＡＭ１１ｂからイコライザ回路８０Ｂ内のＬＰＦ８２Ｂに入力する。
【０１０１】
次に、ステップＳ２６では、ステップＳ２２及びステップ２４と同様な操作により、３点目のカットオフ周波数ｃｆ３と対応した３点目のジッタ値ｊｔ３を計測して、この３点目のジッタ値ｊｔ３を制御部１１のＲＡＭ１１ｂ内に一時的に記憶させる。
【０１０２】
次に、ステップＳ２７では、制御部１１のＲＡＭ１１ｂ内に一時的に記憶させた３点のジッタ値ｊｔ１，ｊｔ２，ｊｔ３の大小関係を制御部１１の演算部１１ｃ及び判断部１１ｄにより判定して、１点目のジッタ値ｊｔ１が最小であるか否かを問い、判定の結果、１点目のジッタ値ｊｔ１が一番小さかった場合（ＹＥＳの場合）、最適なカットオフ周波数は３点のカットオフ周波数ｃｆ１，ｃｆ２，ｃｆ３の変化範囲より小さい値であると推定して、ステップＳ２８にてカットオフ周波数の初期値ｃｆを今回この初期値ｃｆ１よりも小さな値でＬＰＦ８２Ｂに再度設定してステップＳ２１に戻り、この後、ステップＳ２１から３点のジッタ値測定の処理を再度繰り返す。
【０１０３】
一方、ステップＳ２７にて１点目のジッタ値ｊｔ１が最小でなかった場合（ＮＯの場合）には、ステップＳ２９にて、３点目のジッタ値ｊｔ３が最小であるか否かを問い、判定の結果、３点目のジッタ値ｊｔ１が一番小さかった場合（ＹＥＳの場合）、最適なカットオフ周波数は３点のカットオフ周波数ｃｆ１，ｃｆ２，ｃｆ３の変化範囲より大きい値であると推定して、ステップＳ３０にてカットオフ周波数の初期値ｃｆ１を今回この初期値ｃｆ１よりも大きな値でＬＰＦ８２Ｂに再度設定してステップＳ２１に戻り、この後、ステップＳ２１から３点のジッタ値測定の処理を再度繰り返す。
【０１０４】
言い換えると、上記したステップＳ２８又は上記したステップＳ３０では、ジッタ値計測器８５で計測した３点のカットオフ周波数ｃｆ１，ｃｆ２，ｃｆ３に対する３点のジッタ値ｊｔ１，ｊｔ２，ｊｔ３のうちで２点目のジッタ値ｊｔ２が最小でなかった場合に、３点のカットオフ周波数ｃｆ１，ｃｆ２，ｃｆ３の漸増の範囲をずらしてＬＰＦ８２Ｂに再度設定していることになる。
【０１０５】
尚、この実施例２では、上記したステップＳ２８又は上記したステップＳ３０において、３点のカットオフ周波数ｃｆ１，ｃｆ２，ｃｆ３の漸増の範囲をずらしてＬＰＦ８２Ｂに再度設定しているが、上記と逆に、３点のカットオフ周波数ｃｆ１，ｃｆ２，ｃｆ３の漸減の範囲をずらしてＬＰＦ８２Ｂに再度設定することでも良いものである。
【０１０６】
次に、ステップＳ３１では、ステップＳ２９で３点目のジッタ値ｊｔ３が最小でない場合（ＮＯの場合）であるので、ステップＳ２７及びステップＳ２９を合わせて２点目のジッタ値ｊｔ２が一番小さかった場合ということになり、３点のカットオフ周波数ｃｆ１，ｃｆ２，ｃｆ３の変化範囲内に最適な設定値が含まれると推定されるので、３点のカットオフ周波数ｃｆ１，ｃｆ２，ｃｆ３におけるジッタ値ｊｔ１，ｊｔ２，ｊｔ３を、図７に示したようなカットオフ周波数に対するジッタ値の二次曲線として近似させる。
【０１０７】
次に、ステップＳ３２では、上記した二次曲線のジッタ値最小点（頂点）におけるカットオフ周波数を計算により求め、これを最適なカットオフ周波数ｃｆ−ｂｅｓｔとする。
【０１０８】
次に、ステップＳ３３では、ステップＳ３２で求めた最適なカットオフ周波数ｃｆ−ｂｅｓｔを制御部１１を介してイコライザ回路８０Ｂ内のＬＰＦ８２Ｂに設定してイコライザ調整を終了する。
【０１０９】
以上、詳述した本発明に係る実施例２の光ディスク装置及び光ディスク装置のイコライザ調整方法によれば、光ディスクＤで再生したＲＦ信号に対してジッタ値が最小となるようにイコライザ回路８０Ｂでイコライザ調整を行う際に、イコライザ回路８０Ｂ内の波形等化器８１Ｂに対して固定値のブースト量ｂｔ０に設定した上で、イコライザ回路８０Ｂ内のＬＰＦ８２Ｂに対して大きさ順に値が異なる３点のカットオフ周波数ｃｆ１，ｃｆ２，ｃｆ３を順次設定したときに、制御部１１は、ジッタ値計測器８５で計測した３点のカットオフ周波数ｃｆ１，ｃｆ２，ｃｆ３に対する３点のジッタ値ｊｔ１，ｊｔ２，ｊｔ３のうちで２点目のジッタ値ｊｔ２が最小でなかった場合は、３点のカットオフ周波数ｃｆ１，ｃｆ２，ｃｆ３の漸減又は漸増の範囲をずらしてＬＰＦ８２Ｂに再度設定し、２点目のジッタ値ｊｔ２が最小になるまで３点のカットオフ周波数ｃｆ１，ｃｆ２，ｃｆ３の変化と３点のジッタ値ｊｔ１，ｊｔ２，ｊｔ３の検出とを繰り返した後に、３点のカットオフ周波数ｃｆ１，ｃｆ２，ｃｆ３に対する３点のジッタ値ｊｔ１，ｊｔ２，ｊｔ３を二次曲線で近似し、この二次曲線のジッタ値が最小となる最適なカットオフ周波数ｃｆ−ｂｅｓｔを求めて、最適なカットオフ周波数ｃｆ−ｂｅｓｔをＬＰＦ８２Ｂに設定することで、先に説明した特許文献１及び特許文献２よりもイコライザ調整中にジッタ値の計測回数を削減できるために、イコライザ調整をより一層効率良く短時間で行うことができる。
【０１１０】
尚、上記した本発明に係る実施例２の光ディスク装置のイコライザ調整方法において、光ディスクＤで再生したＲＦ信号に対してジッタ値が最小となるようにイコライザ回路８０Ｂでイコライザ調整を行う際に、イコライザ回路８０Ｂ内の波形等化器８１Ｂに対して固定値のブースト量ｂｔ０に設定した上で、イコライザ回路８０Ｂ内のＬＰＦ８２Ｂに対して大きさ順に値が異なる３点のカットオフ周波数ｃｆ１，ｃｆ２，ｃｆ３の設定範囲内に最適なカットオフ周波数ｃｆ−ｂｅｓｔが含まれる可能性が高くなるように、適切な３点のカットオフ周波数ｃｆ１，ｃｆ２，ｃｆ３を制御部１１のＲＡＭ１１ｂ内に予め準備しておくことで、上記したステップ２８及びステップ２９を省略できるので、制御部１１は、ジッタ値計測器８５で計測した３点のカットオフ周波数ｃｆ１，ｃｆ２，ｃｆ３に対する３点のジッタ値ｊｔ１，ｊｔ２，ｊｔ３を二次曲線で近似し、この二次曲線のジッタ値が最小となる最適なカットオフ周波数ｃｆ−ｂｅｓｔを求めているので、３点のみのジッタ値ｊｔ１，ｊｔ２，ｊｔ３の測定でジッタ値が最小となるような最適なカットオフ周波数ｃｆ−ｂｅｓｔが決定できることになり、イコライザ調整を更により一層効率良く短時間で行うことができる。
【実施例３】
【０１１１】
図８は本発明に係る実施例３の光ディスク装置の全体構成を示した構成図である。
【０１１２】
図８に示した本発明に係る実施例３の光ディスク装置１０Ｃは、先に説明した本発明に係る実施例１の光ディスク装置１０Ａの要部となるイコライザ回路８０Ａと、先に説明した本発明に係る実施例２の光ディスク装置１０Ｂの要部となるイコライザ回路８０Ｂとを共に備えている点が実施例１，２に対して異なるだけであり、ここでは説明の便宜上、先に示した構成部材に対しては同一の符号を付して詳述を省略するものの、実施例３の要部となるイコライザ回路８０Ａ，８０Ｂについてのみ説明する。
【０１１３】
図８に示した如く、本発明に係る実施例３の光ディスク装置１０Ｃでも、実施例３の要部となるイコライザ回路８０Ａ，８０Ｂが、ＲＦ信号検出回路６０の後段に光ディスク種類判別回路７０とは別に分岐して設けられている。
【０１１４】
この際、イコライザ回路８０Ａは、実施例１と同様に、波形等化器８１Ａと、ＬＰＦ８２Ａとで構成されており、波形等化器８１Ａでは、制御部１１のＲＡＭ１１ｂ内に予め記憶させておいた大きさ順に値が異なる３点のブースト量ｂｔ１，ｂｔ２，ｂｔ３を入力させて、これら３点のブースト量ｂｔ１，ｂｔ２，ｂｔ３を用いてジッタ値が最も小さくなる最適なブースト量を求めて、この最適なブースト量によりＲＦ信号中である周波数を中心としてＲＦ信号をブーストしてゲインを上げるようになっていると共に、ＬＰＦ８２Ａでは、制御部１１のＲＡＭ１１ｂ内に予め記憶させておいた固定値のカットオフ周波数ｃｆ０を入力させて、この固定値のカットオフ周波数ｃｆ０によりＲＦ信号中である周波数以上又は以下もしくはある周波数幅の成分を、基準レベルより３ｄＢ低減させるようになっている。
【０１１５】
一方、イコライザ回路８０Ｂは、実施例２と同様に、波形等化器８１Ｂと、ＬＰＦ８２Ｂとで構成されており、波形等化器８１Ｂでは、制御部１１のＲＡＭ１１ｂ内に予め記憶させておいた固定値のブースト量ｂｔ０を入力させて、この固定値のブースト量ｂｔ０によりＲＦ信号中である周波数を中心としてＲＦ信号をブーストしてゲインを上げるようになっていると共に、ＬＰＦ８２Ｂでは、制御部１１のＲＡＭ１１ｂ内に予め記憶させておいた大きさ順に値が異なる３点のカットオフ周波数ｃｆ１，ｃｆ２，ｃｆ３を入力させて、これら３点のカットオフ周波数ｃｆ１，ｃｆ２，ｃｆ３を用いてジッタ値が最も小さくなる最適なカットオフ周波数を求めて、この最適なカットオフ周波数によりＲＦ信号中である周波数以上又は以下もしくはある周波数幅の成分を、基準レベルより３ｄＢ低減させるようになっている。
【０１１６】
また、イコライザ回路８０Ａ，８０Ｂの後段には、スィッチＳＷ２が接続されており、このスィッチＳＷ２は光ディスク種類判別回路７０から出力されるＢＤ判別信号Ｄｂ又はＤＶＤ判別信号Ｄｄに応じてイコライザ回路８０Ａとイコライザ回路８０Ｂとを選択的に切り換えている。
【０１１７】
この際、例えば、ＢＤ用のＢＤ判別信号Ｄｂによってイコライザ回路８０Ａが選択され、且つ、ＤＶＤ用のＤＶＤ判別信号Ｄｄによってイコライザ回路８０Ｂが選択されるように構成しても良いし、上記とは逆に、ＢＤ用のＢＤ判別信号Ｄｂによってイコライザ回路８０Ｂが選択され、且つ、ＤＶＤ用のＤＶＤ判別信号Ｄｄによってイコライザ回路８０Ａが選択されるように構成しても良いものである。
【０１１８】
更に、イコライザ回路８０Ａ，８０Ｂからの各出力は、スィッチＳＷ２によって選択的に切り換えられた後、このスィッチＳＷ２の後段に設けた二値化回路８３で二値化されて二値化データＴＤが３つに分岐されてＰＬＬ回路８４とジッタ値計測器８５と信号処理回路８６とにそれぞれ入力されている。
【０１１９】
そして、本発明に係る実施例３のイコライザ調整方法は、先に図３及び図４を用いて説明した本発明に係る実施例１のイコライザ調整方法と、先に図６及び図７を用いて説明した本発明に係る実施例２のイコライザ調整方法とを、光ディスク種類判別回路７０から出力されるＢＤ判別信号Ｄｂ又はＤＶＤ判別信号Ｄｄに応じてスィッチＳＷ２を選択的に切り換えているので、ここでの詳述を省略する。
【０１２０】
以上、詳述した本発明に係る実施例３の光ディスク装置及び光ディスク装置のイコライザ調整方法によれば、光ディスクＤで再生したＲＦ信号に対してジッタ値が最小となるようにイコライザ回路８０Ａ，８０Ｂでイコライザ調整を行う際に、大きさ順に値が異なる３点のブースト量ｂｔ１，ｂｔ２，ｂｔ３を用いるイコライザ回路８０Ａと、大きさ順に値が異なる３点のカットオフ周波数ｃｆ１，ｃｆ２，ｃｆ３を用いるイコライザ回路８０Ｂとを、光ディスク種類判別回路７０から出力されるＢＤ判別信号Ｄｂ又はＤＶＤ判別信号Ｄｄに応じてスィッチＳＷ２により選択的に切り換えているので、光ディスクＤの種類に応じて３点のブースト量ｂｔ１，ｂｔ２，ｂｔ３や、３点のカットオフ周波数ｃｆ１，ｃｆ２，ｃｆ３を制御部１１内にそれぞれ予め準備しておくことで、光ディスクＤの種類に応じて各イコライザ回路８０Ａ，８０Ｂごとに３点のみのジッタ値の測定でジッタ値が最小となるような最適なブースト量やカットオフ周波数が決定できることになり、イコライザ調整をより一層効率良く短時間で行うことが可能であると共に、光ディスクＤの種類に応じて多様にイコライザ調整を行うことができる。
【図面の簡単な説明】
【０１２１】
【図１】本発明に係る実施例１の光ディスク装置の全体構成を示した構成図である。
【図２】図１に示した光ピックアップ内に設けた多分割型フォトディテクタを拡大して示した図である。
【図３】本発明に係る実施例１の光ディスク装置のイコライザ調整方法を説明するためのフロー図である。
【図４】本発明に係る実施例１の光ディスク装置のイコライザ調整方法において、ブースト量とジッタ値との関係を示した特性図である。
【図５】本発明に係る実施例２の光ディスク装置の全体構成を示した構成図である。
【図６】本発明に係る実施例２の光ディスク装置のイコライザ調整方法を説明するためのフロー図である。
【図７】本発明に係る実施例２の光ディスク装置のイコライザ調整方法において、カットオフ周波数とジッタ値との関係を示した特性図である。
【図８】本発明に係る実施例３の光ディスク装置の全体構成を示した構成図である。
【符号の説明】
【０１２２】
１０Ａ  実施例１の光ディスク装置、
１０Ｂ  実施例２の光ディスク装置、
１０Ｃ  実施例３の光ディスク装置、
１１  制御部、１１ａ  ＲＯＭ、１１ｂ  ＲＡＭ、１１ｃ  演算部、１１ｄ  判断部、
１２  スンピンドルモータ、１２ａ  軸、１３  ターンテーブル、
１４  ディスククランパ、１５  第１モータ駆動回路、１６  第２モータ駆動回路、
１７  スレッドモータ、１８  リードスクリュー、１９  半導体レーザー駆動回路、
２０  光ピックアップ、２１  光ピックアップ筐体、２１ａ  螺合部、
２２ａ  第１レーザー光源、２２ｂ  第２レーザー光源、２３  コリメータレンズ、
２４  回折素子、２５  ビームスプリッタ、２６  λ／４板、２７  レンズホルダ、
２８  対物レンズ、２９  トラッキングコイル、３０  フォーカスコイル、
３１  検出レンズ、３２  シリンドリカルレンズ、３３  多分割型フォトディテクタ、
４０  ＴＥ（トラッキングエラー）信号検出回路、
４１  第１Ａ／Ｄ変換器、４２  第１Ｄ／Ａ変換器、
４３  ＴＤ  ＤＲＩＶＥ（トラッキング駆動）回路、
５０  ＦＥ（フォーカスエラー）信号検出回路、
５１  第２Ａ／Ｄ変換器、５２  第２Ｄ／Ａ変換器、
５３  ＦＤ  ＤＲＩＶＥ（フォーカス駆動）回路、
６０  ＲＦ信号検出回路、
７０  光ディスク種類判別回路、
８０Ａ，８０Ｂ  イコライザ回路、
８１Ａ，８１Ｂ  波形等化器、  ８２Ａ，８２Ｂ  ＬＰＦ（ローパスフィルタ）、
８３  二値化回路、８４  ＰＬＬ（Ｐｈａｓｅ  Ｌｏｃｋｅｄ  Ｌｏｏｐ）回路、
８５  ジッタ値計測器、８６  信号処理回路、  ＳＷ１，ＳＷ２  スィッチ、
Ｄ  光ディスク、Ｌ１  第１レーザービーム、Ｌ２  第２レーザービーム、
ＴＥ  トラッキングエラー信号、ＴＤ  トラッキング制御駆動信号、
ＦＥ  フォーカスエラー信号、ＦＤ  フォーカス制御駆動信号、
Ｄｂ  ＢＤ判別信号、Ｄｄ  ＤＶＤ判別信号、  ＲＦ  データ信号（ＲＦ信号）、
ＴＤ  二値化データ、ＣＬＫ  クロック、
ｂｔｏ，ｂｔ１，ｂｔ２，ｂｔ３  ブースト量、
ｃｆ０，ｃｆ１，ｃｆ２，ｃｆ３  カットオフ周波数、
ｊｔ，ｊｔ１，ｊｔ２，ｊｔ３  ジッタ値。
【図１】
2009157976.tif 000003
【図２】
2009157976.tif 000004
【図３】
2009157976.tif 000005
【図４】
2009157976.tif 000006
【図５】
2009157976.tif 000007
【図６】
2009157976.tif 000008
【図７】
2009157976.tif 000009
【図８】
2009157976.tif 000010